(57)【特許請求の範囲】
【請求項１】
隣接する建造物間の目地に差し渡されて、該目地を横断するチャンネル杆からなるガイドレールを備えたホルダーの、その一端を、一方の建造物にヒンジ部材を介して回動可能に連結して支持し、該ホルダーの他端側で、前記ガイドレール内にローラからなる滑動部材を転動可能に嵌装して、該滑動部材と他方の建造物間に介装した引張付勢手段によって前記ホルダーの他端側を他方の建造物側に付勢して支持し、該ホルダーに前記目地を覆うカバー板を被着するようにしたことを特徴とする目地カバー装置。
【請求項２】
隣接する建造物の天井間の目地に差し渡されて、該目地を横断するチャンネル杆からなる第１ガイドレールと、該第１ガイドレールの側端に配設された目地方向に沿うチャンネル杆からなる第２ガイドレールとを備えたホルダーの、その一端を、前記第２ガイドレール内にローラからなる滑動部材を移動可能に嵌装して、該滑動部材を支持部材を介して一方の建造物に連結して支持し、該ホルダーの他端側で、前記各第１ガイドレール内にローラからなる滑動部材を移動可能に嵌装して、該滑動部材と他方の建造物間に介装した引張付勢手段によって前記ホルダーの他端側を他方の建造物側に付勢して支持し、該ホルダーに前記目地を覆うカバー板を被着するようにしたことを特徴とする目地カバー装置。
【請求項３】
前記引張付勢手段を、一端が滑動部材側に係止され、他端が建造物側に係止される引張バネによって構成したことを特徴とする請求項１又は請求項２に記載した目地カバー装置。
【請求項４】
前記引張付勢手段を、一端が滑動部材側に連結され、他端が建造物側に軸支された巻取りドラムに巻回されるワイヤーと、前記巻取りドラムをワイヤーの巻取り方向に回転付勢する蔓巻バネとを備えた引張装置によって構成したことを特徴とする請求項１又は請求項２に記載した目地カバー装置。
【発明の詳細な説明】
【０００１】
【発明の属する技術分野】
本発明は、隣接する建造物間の目地を覆う目地カバー装置に関する。
【０００２】
【従来の技術】
目地カバー装置は、隣接する建造物の相対変位を吸収するために両建造物間に形成された所定間隔の目地を覆う装置であるが、特に内壁用として用いられている従来の目地カバー装置Ａの一構成を図１３，図１４について説明する。
【０００３】
この目地カバー装置Ａは、目地ｓを介して隣接する建造物ａ，ａの対向する側縁ｂ，ｂに、引張バネｃ，ｃにより内方に付勢される支持杆ｄ，ｄを備えた支持装置ｅ，ｅを夫々配設する一方、建造物ａ，ａの内壁面ｆ，ｆ間に断面Ｃ字形のホルダーｇを差し渡し、該ホルダーｇの係合溝ｈに前記両支持杆ｄ，ｄの先端に形成された摺動片ｉ，ｉを夫々係合して支持し、該ホルダーｇにカバー板ｊを被着して目地ｓを覆うように構成されており、隣接する建造物ａ，ａに水平方向に離近する相対変位が生じた場合、ホルダーｇの係合溝ｈ内を支持杆ｄ，ｄの摺動片ｉ，ｉが相対的に摺動して、カバー板ｊが目地ｓを覆う状態を維持してその相対変位に追従し得るようになっている。
【０００４】
【発明が解決しようとする課題】
ところで、近年、緩衝機能を備えた弾性体からなる免震装置により建造物の下部を支持して、地震時に建造物を水平方向に弾性的に揺らし、地震波と同調しないようにその揺れの周期を長くして、地震の衝撃を吸収し得るようにした免震構造の建造物が一部で建設されている。このような免震構造の建造物は、免震構造でない一般的な建造物と比較して地震時における水平方向の揺れが大きくなる特徴がある。
【０００５】
かかる免震構造の建造物に、従来構成の前記目地カバー装置Ａを適用した場合、該目地カバー装置Ａの水平方向の可動機構が、ホルダーｇの係合溝ｈに支持杆ｄ，ｄの各摺動片ｉ，ｉを摺動可能に係合したものであり、係合溝ｈと摺動片ｉ，ｉとが面接触した状態で相対的に摺動するものであるため、摺動抵抗が大きく、迅速かつ円滑な追従作用が充分に得られない。そこで、これに代わる水平方向の大きな揺れに対応し得るものが要望されていた。
【０００６】
また、従来構成の目地カバー装置Ａは、構造が複雑であるため、生産コストが高く、かつ、施工に時間を要するものであった。
【０００７】
本発明は、かかる従来の問題点を解消し得る目地カバー装置の提供を目的とするものである。
【０００８】
【課題を解決するための手段】
本発明は、隣接する建造物間の目地に差し渡されて、該目地を横断するチャンネル杆からなるガイドレールを備えたホルダーの、その一端を、一方の建造物にヒンジ部材を介して回動可能に連結して支持し、該ホルダーの他端側で、前記ガイドレール内にローラからなる滑動部材を転動可能に嵌装して、該滑動部材と他方の建造物間に介装した引張付勢手段によって前記ホルダーの他端側を他方の建造物側に付勢して支持し、該ホルダーに前記目地を覆うカバー板を被着するようにしたことを特徴とする目地カバー装置である。
【０００９】
ここで、前記ホルダーは、ガイドレールを単一で用いたり、複数のガイドレールを連結して用いることによって構成することができる。また、滑動部材としては、ロ−ラ又は摩擦係数が極めて低い材質からなる円盤体が用いられ得る。
【００１０】
かかる構成にあって、隣接する建造物に、水平方向に離近する相対変位が生じると、ホルダーのガイドレール内に滑動部材が移動可能に嵌装されていることにより、該滑動部材がガイドレール内を滑動して相対的に移動する。この滑動部材の易移動性作用により、建造物の水平方向に離近する相対変位に目地カバー装置を迅速かつ円滑に追従させることができる。
【００１１】
また、本発明は、隣接する建造物の天井間の目地に差し渡されて、該目地を横断するチャンネル杆からなる第１ガイドレールと、該第１ガイドレールの側端に配設された目地方向に沿うチャンネル杆からなる第２ガイドレールとを備えたホルダーの、その一端を、前記第２ガイドレール内にローラからなる滑動部材を移動可能に嵌装して、該滑動部材を支持部材を介して一方の建造物に連結して支持し、該ホルダーの他端側で、前記各第１ガイドレール内にローラからなる滑動部材を移動可能に嵌装して、該滑動部材と他方の建造物間に介装した引張付勢手段によって前記ホルダーの他端側を他方の建造物側に付勢して支持し、該ホルダーに前記目地を覆うカバー板を被着するようにしたことを特徴とする目地カバー装置である。
【００１２】
かかる構成にあっては、ホルダーの、目地を横断する第１ガイドレール内に滑動部材が移動可能に嵌装されていることにより、隣接する建造物に、水平方向に離近する相対変位が生じると、前記滑動部材が第１ガイドレール内を滑動して相対的に移動し、この滑動部材の易移動性作用によって、建造物の水平方向に離近する相対変位に目地カバー装置を迅速かつ円滑に追従させることができる。また、ホルダーの、目地方向に沿う第２ガイドレールにも滑動部材が移動可能に嵌装されていることにより、隣接する建造物に、目地方向に沿う水平方向の相対変位が生じると、前記滑動部材が第２ガイドレールを滑動して相対的に移動し、この滑動部材の易移動性作用によって、建造物の目地方向に沿う水平方向の相対変位に目地カバー装置を迅速かつ円滑に追従させることができる。
【００１３】
【発明の実施の形態】
本発明に係る目地カバー装置の第１の実施例を、図１〜図５について説明する。
【００１４】
図面において、１ａ，１ｂは目地ｓを介して隣接する建造物であって、一方の建造物１ａは、図示省略されているが、緩衝機能を備えた弾性体からなる免震装置によって下部が支持されており、免震構造となっている。また、目地ｓは、建造物１ａの周囲に沿って所定幅で形成され、地震時における建造物１ａと周囲の建造物１ｂとの水平方向の相対的な揺れを吸収し得るようになっている。
【００１５】
前記建造物１ａ，１ｂを連通するように形成された通路を構成する内壁面２ａ，２ｂ間には、目地ｓを横断する複数のガイドレール３を備えたホルダー４が差し渡されている。該ホルダー４のガイドレール３は、上下方向に所定間隔で並列状に配置され、その各側端を直交方向に配置した連結杆５に夫々連結して一体化されており、さらに各ガイドレール３は、その長手方向の中間部が補強杆６によって相互に連結されている。
【００１６】
前記ガイドレール３は、図５に拡大して示すように、内部に滑動部材７を移動可能に嵌装し得る断面略Ｃ字形のチャンネル杆からなり、その長手方向に沿って開口された挿通口８が前記内壁面２ａ，２ｂ側に臨むように配置されている。また、該挿通口８の両側を移動支持縁９，９としている。各ガイドレール３に嵌装される滑動部材７は、支軸１０の両側に左右一対で回転可能に軸支されたローラからなり、その嵌装状態にあって前記移動支持縁９，９に当接してガイドレール３の長手方向に沿って転動し得るようになっている。また、滑動部材７の支軸１０には、前記挿通口８から外部に突出する連繋軸１１が突成されており、該連繋軸１１の先端に環状の係止部１２が形成されている。
【００１７】
また、前記連結杆５及び補強杆６も、各ガイドレール３と同じ断面略Ｃ字形のチャンネル杆が用いられている。
【００１８】
前記ホルダー４の一端は、一方の建造物１ａに複数のヒンジ部材１３を介して回動可能に連結される。各ヒンジ部材１３は、図３に拡大して示すように、支軸１４と該支軸１４に回動可能に枢結された回動片１５ａ，１５ｂとからなり、その一方の回動片１５ａがホルダー４の一端となる連結杆５に溶接によって固着されている。また、他方の回動片１５ｂは、建造物１ａの目地ｓ側の側壁面１６ａに上下方向に沿って配設される平板状のブラケット１７に、螺子１８とナット１９によって固定されている。また、前記ブラケット１７は、建造物１ａの側壁面１６ａに所定間隔で植設されたボルト２０と、該ボルト２０に螺合されるナット２１によって側壁面１６ａに固定するようにしている。これにより、ホルダー４の一端が、一方の建造物１ａの内壁面２ａに対して前後方向に回動可能に連結され、支持されている。
【００１９】
他方の建造物１ｂには、図４，図５に拡大して示すように、その内壁面２ｂと目地側の側壁面１６ｂとの稜部に、ボルト２２によって固定される断面Ｌ字形のブラケット２３が上下方向に沿って配設されている。該ブラケット２３の、前記側壁面１６ｂ側に位置する側縁部２３ａには、前記各ガイドレール３に対応する高さ位置に、バネ受片２４が夫々取付けられており、該バネ受片２４と前記各滑動部材７の係止部１２に引張バネ２５の端部を夫々係合させることにより、複数の引張バネ２５が滑動部材７と建造物１ｂ間に介装されている。そしてこの引張バネ２５の引張力により滑動部材７を介してホルダー４の他端側が建造物１ｂの内壁面２ｂ方向に付勢され、支持されている。そして、この引張バネ２５を、ホルダー４の他端側を支持する引張付勢手段としている。
【００２０】
また、ホルダー４の各ガイドレール３が当接するブラケット２３の側縁部２３ｂには、表面にテフロンコーティング等の滑性面を形成した薄板状のパッキン２６が被着されており、該パッキン２６の滑性面によって、各ガイドレール３の摺動が容易となるようにしている。
【００２１】
このように、目地ｓに差し渡されたホルダー４に目地ｓを覆うカバー板２７が被着されている。該カバー板２７は、複数の螺子２８によって各ガイドレール３に固定されている。これにより、第１の実施例における目地カバー装置が構成されている。
【００２２】
かかる構成にあって、地震時に、建造物１ａと、建造物１ｂ間に、水平方向に離近する相対変位が生じると、一端が建造物１ａに連結されているホルダー４の他端側が、建造物１ｂの内壁面２ｂに沿って相対的に水平移動することとなる。この時、該ホルダー４の各ガイドレール３内に嵌装されているローラからなる滑動部材７が、ガイドレール３の移動支持縁９，９に当接した状態で転動して相対的に移動することとなり、ホルダー４の他端側が、滑動部材７と引張バネ２５とによって建造物１ｂに支持された状態で、前記滑動部材７の易移動性作用を介して、その相対変位に迅速かつ円滑に追従することとなる。
【００２３】
ここで、隣接する建造物相互が免震構造でない通常の建造物においては、その水平方向の相対変位量が±100mm 程度であるのに対して、一方が免震構造の建造物１ａである場合には、水平方向の相対変位量が±500mm 程度となる。しかして、このような大きな相対変位量を考慮して各ガイドレール３の長さを長くしても、上記のようにホルダー４の他端側が、ローラからなる滑動部材７の易移動性作用を介して、その相対変位に迅速かつ円滑に追従することにより、免震構造の建造物１ａの大きな揺れに対応し得るものとなる。
【００２４】
また、建造物１ａと、建造物１ｂが、目地ｓに沿う方向（前後方向）に相対変位した場合には、ホルダー４の一端が、一方の建造物１ａに複数のヒンジ部材１３を介して回動可能に連結されていることにより、該ヒンジ部材１３を支点として、ホルダー４が前後方向に回動し、その相対変位に追従する。また、免震構造の建造物１ａにあっては、隣接する建造物１ｂとの上下方向の相対変位が殆どなく、目地カバー装置の上下方向の追従機能を考慮する必要はないのであるが、仮に建造物１ａ，１ｂに上下方向の相対変位が生じたとしても、一端が建造物１ａに連結されているホルダー４の他端側が、引張バネ２５の伸長作用を介して、建造物１ｂの内壁面２ｂに沿って上下方向に相対的に移動し、その相対変位に追従することとなる。
【００２５】
図６，図７は、第１の実施例の変形実施例を示し、複数のガイドレール３の各側端を連結杆５で連結せず、かつ、各ガイドレール３の中間部を補強杆６によって連結しないで、単一のガイドレール３によってホルダー４を構成したものであって、各ホルダー４の一端にヒンジ部材１３を夫々取付け、該ヒンジ部材１３を介して各ホルダー４の一端を、建造物１ａに固定される平板状のブラケット１７に回動可能に連結するようにしたものである。
【００２６】
かかる構成にあっても、第１の実施例のものと同じ作用を得ることができる。
【００２７】
尚、上記第１の実施例においては、建造物１ａ，１ｂの内壁面２ａ，２ｂ間の目地ｓを覆うように目地カバー装置を配設した場合について説明したが、第１実施例及びその変形実施例の構成からなる目地カバー装置は、建造物１ａ，１ｂの天井間の目地ｓに適用することもできる。
【００２８】
図８〜図１０は、本発明に係る目地カバー装置の第２の実施例を示し、この目地カバー装置は天井用として使用されるものであって、上記第１実施例におけるホルダー４の一端の支持手段が異なる点以外は、第１実施例と同一構成であり、同一部分には、同一符合を付して重複する説明を省略する。
【００２９】
建造物１ａ，１ｂを連通するように形成された通路を構成する天井２ａ’，２ｂ’間に水平状に差し渡されたホルダー４にあって、目地ｓを横断する複数のガイドレール３を第１ガイドレールとし、その各側端を連結する連結杆５を目地ｓ方向に沿う第２ガイドレールとしている。
【００３０】
この第２ガイドレールとしての連結杆５は、図１０に拡大して示すように、前記ガイドレール３と同じ断面略Ｃ字形のチャンネル杆からなり、その長手方向に沿って開口された挿通口８が上方に臨むように配置されている。また、その内部には、支軸１０の両側に左右一対で軸支されたローラからなる滑動部材７が複数箇所に移動可能に嵌装されている。各滑動部材７は、移動支持縁９，９に当接して連結杆５の長手方向に沿って転動し得るようになっている。
【００３１】
各滑動部材７の支軸１０には、前記挿通口８から上方に突出する螺子杆からなる連繋軸１１が突成されており、該連繋軸１１が、断面Ｌ字形のブラケット２９の受縁２９ａに所定間隔で挿通され、該連繋軸１１に螺合されるナット３０によって受縁２９ａに固定されている。また、ブラケット２９は、建造物１ａの天井２ａ’を構成する垂直面に所定間隔で植設されたボルト２０と、該ボルト２０に螺合されるナット２１によって天井２ａ’の垂直面に固定するようにしている。これにより、滑動部材７の支持部材が構成されており、該支持部材を介してホルダー４の一端が、一方の建造物１ａの天井２ａ’に連結され、支持されている。
【００３２】
また、ホルダー４の他端側は、他方の建造物１ｂの天井２ｂ’の稜部に配設されたブラケット２３のバネ受片２４と、各ガイドレール３に嵌装されたローラからなる滑動部材７の係止部１２間に介装した引張バネ２５の引張力によって、天井２ｂ’方向に付勢され、支持されている。そして、この引張バネ２５を、ホルダー４の他端側を支持する引張付勢手段としている。さらに、前記ホルダー４には、第１実施例と同様に目地ｓを覆うカバー板２７が被着されている。
【００３３】
かかる構成にあって、地震時に、建造物１ａの天井２ａ’と、建造物１ｂの天井２ｂ’間に、水平方向に離近する相対変位が生じると、一端が建造物１ａに連結されているホルダー４の他端側が、建造物１ｂの天井２ｂ’に沿って相対的に水平移動する。この時、第１実施例のものと同様に、該ホルダー４の各ガイドレール３内に嵌装されているローラからなる滑動部材７が、ガイドレール３の移動支持縁９，９に当接した状態で転動して相対的に移動することとなり、ホルダー４の他端側が、滑動部材７と引張バネ２５とによって建造物１ｂに支持された状態で、前記滑動部材７の易移動性作用を介して、その相対変位に迅速かつ円滑に追従する。
【００３４】
また、建造物１ａの天井２ａ’と、建造物１ｂの天井２ｂ’が、目地ｓに沿う方向（前後方向）に相対変位した場合には、ホルダー４の一端が、一方の建造物１ａに、第２ガイドレールとしての連結杆５に嵌装されたローラからなる滑動部材７を介して支持されていることにより、該滑動部材７が連結杆５内を転動して相対的に移動し、該滑動部材７の易移動性作用を介して、その相対変位に迅速かつ円滑に追従する。
【００３５】
これにより、建造物１ａ，１ｂの水平方向に離近する相対変位と、目地方向に沿う水平方向の相対変位とに、目地カバー装置を迅速かつ円滑に追従させることができる。また、建造物１ａ，１ｂに上下方向の相対変位が生じ場合には、一端が建造物１ａに連結されているホルダー４の他端側が、引張バネ２５の伸長作用を介して傾動し、その相対変位に追従することとなる。
【００３６】
尚、上記第１，第２両実施例にあっては、滑動部材７としてローラを用いた場合について説明したが、該ローラに代えて滑動部材７を、摩擦係数が極めて低い材質からなる円盤体によって構成するようにしてもよい。かかる材質としてはポリアセタールが好適に使用され得る。この円盤体で構成される滑動部材７は、上記両実施例におけるローラと略同一形状に形成され、支軸１０の両側に回転不能に軸支される。このため、その外周面の一部が移動支持縁９，９に線接触した状態で滑動することとなるのであるが、その優れた滑性作用により、ローラと同様の迅速かつ円滑な易移動性作用が得られる。
【００３７】
また、上記第１，第２両実施例にあっては、引張バネ２５からなる引張付勢手段によってホルダー４の他端側を支持するようにしているが、該引張付勢手段としては、これ以外に図１１，図１２に示すように、一端が滑動部材７側に連結され、他端が建造物１ｂ側に軸支された巻取りドラム３１に巻回されるワイヤー３２と、前記巻取りドラム３１をワイヤー３２の巻取り方向に回転付勢する蔓巻バネ３３とを備えた引張装置３９によって構成したものが用いられる。
【００３８】
この引張装置３９について説明すると、建造物１ｂの内壁面２ｂ又は天井２ｂ’と目地側の側壁面１６ｂとの稜部に、ボルト２２によって固定された断面Ｌ字形のブラケット２３が目地に沿って配設されており、該ブラケット２３の、前記側壁面１６ｂ側に位置する側縁部２３ａには、各ガイドレール３に対応する位置に、前後一対の軸受板３４，３４を備えた取付け基板３５が夫々固着されている。各軸受板３４，３４には支軸３６が横架されており、該支軸３６に巻取りドラム３１が回転可能に軸支されている。該巻取りドラム３１には、先端を滑動部材７の係止部１２に連結したワイヤー３２が巻回されており、また、該巻取りドラム３１にはその側傍に蔓巻バネ３３の収納部３７が連成されている。該収納部３７内に収納されている蔓巻バネ３３の一端は、前記支軸３６に形成された係合溝３８に係止させることによって支軸３６に固定されており、また、蔓巻バネ３３の他端は、収納部３７の周壁３７’に固定されている。ここで、該蔓巻バネ３３は、適宜に巻回した状態でその両端が上記のように固定されており、巻取りドラム３１をワイヤー３２の巻取り方向に常時回転付勢し得るようになっている。そしてこの蔓巻バネ３３の回転付勢力によってワイヤー３２を引張し、滑動部材７を介してホルダー４の他端側を支持するようにしている。
【００３９】
また、本発明にかかる目地カバー装置は、免震装置によって下部が支持された免震構造の建造物以外の一般的な建造物にも適用することが可能である。
【００４０】
【発明の効果】
本発明は上述のように、隣接する建造物１ａ，１ｂ間の目地ｓに差し渡されて、該目地ｓを横断するガイドレール３を備えたホルダー４の、その一端を、一方の建造物１ａにヒンジ部材１３を介して回動可能に連結して支持し、該ホルダー４の他端側で、前記ガイドレール３内に滑動部材７を移動可能に嵌装して、該滑動部材７と他方の建造物１ｂ間に介装した引張付勢手段によって前記ホルダー４の他端側を支持し、該ホルダー４に前記目地ｓを覆うカバー板２７を被着して目地カバー装置を構成するようにしたから、建造物１ａ，１ｂに、水平方向に離近する相対変位が生じた場合に、ガイドレール３内に嵌装された滑動部材７の易移動性作用を介して、目地カバー装置を迅速かつ円滑に追従させることができる。これにより、水平方向の揺れが大きい免震構造の建造物に好適に使用することができる。
【００４１】
また、隣接する建造物１ａ，１ｂの天井２ａ’，２ｂ’間の目地ｓに差し渡されて、該目地ｓを横断する第１ガイドレール（３）と、該第１ガイドレール（３）の側端に配設された目地方向に沿う第２ガイドレール（５）とを備えたホルダー４の、その一端を、前記第２ガイドレール（５）内に滑動部材７を移動可能に嵌装して、該滑動部材７を支持部材を介して一方の建造物１ａに連結して支持し、該ホルダー４の他端側で、前記各第１ガイドレール（３）内に滑動部材７を移動可能に嵌装して、該滑動部材７と他方の建造物１ｂ間に介装した引張付勢手段によって前記ホルダー４の他端側を支持し、該ホルダー４に前記目地ｓを覆うカバー板２７を被着して目地カバー装置を構成するようにしたから、第１ガイドレール（３）及び第２ガイドレール（５）に夫々嵌装された滑動部材７の易移動性作用を介して、建造物１ａ，１ｂの水平方向に離近する相対変位と、目地方向に沿う水平方向の相対変位とに、目地カバー装置を迅速かつ円滑に追従させることができる。
【００４２】
さらに、従来構成の目地カバー装置と比較して、構造が簡単であるため、生産コストが低減され、施工が簡単となる等の優れた効果がある。
【図面の簡単な説明】
【図１】第１実施例の目地カバー装置の施工状態を示す横断平面図である。
【図２】同上の目地カバー装置の背面図である。
【図３】ホルダーの一端の支持部分の拡大断面図である。
【図４】ホルダーの他端側の支持部分の拡大断面図である。
【図５】ホルダーの他端側の支持部分の拡大側断面図である。
【図６】第１実施例の変形実施例の目地カバー装置の横断平面図である。
【図７】同上の目地カバー装置の背面図である。
【図８】第２実施例の目地カバー装置の施工状態を示す縦断正面図である。
【図９】同上の目地カバー装置の平面図である。
【図１０】ホルダーの一端の支持部分の拡大断面図である。
【図１１】引張付勢手段の他の構成を示す拡大断面図である。
【図１２】同上の引張付勢手段の拡大側断面図である。
【図１３】従来構成の目地カバー装置の施工状態を示す横断平面図である。
【図１４】従来構成の目地カバー装置の支持部分の拡大側断面図である。
【符号の説明】
ｓ  目地
１ａ，１ｂ  建造物
２ａ’，２ｂ’天井
３  ガイドレール（第１ガイドレール）
４  ホルダー
５  連結杆（第２ガイドレール）
７  滑動部材
１３  ヒンジ部材
２５  引張バネ
２７  カバー板
３９  引張装置
【図１】
0003958861.tif 000002
【図２】
0003958861.tif 000003
【図３】
0003958861.tif 000004
【図４】
0003958861.tif 000005
【図５】
0003958861.tif 000006
【図６】
0003958861.tif 000007
【図７】
0003958861.tif 000008
【図８】
0003958861.tif 000009
【図９】
0003958861.tif 000010
【図１０】
0003958861.tif 000011
【図１１】
0003958861.tif 000012
【図１２】
0003958861.tif 000013
【図１３】
0003958861.tif 000014
【図１４】
0003958861.tif 000015